(57)【特許請求の範囲】
【請求項１】
所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記係合部は、前記把持部の先端側から延出する係合爪からなり、
前記被係合部は、前記係合爪が挿入される係合孔からなり、
前記係合爪が前記係合孔に挿入されたときに、前記係合爪に形成された突起部が前記係合孔の周縁部に係止するように構成され、その係止状態から前記係合爪が前記貫通孔側に傾倒することで係止状態が解除されるようになっており、
前記固定部材は、前記把持部に組み付けられたときに前記係合爪が前記貫通孔側へ傾倒しないように規制することを特徴とする光学的情報読取装置。
【請求項２】
前記ケースは、前記把持部の一部をなす第１ケース体と、前記第１ケース体に組み付けられると共に前記把持部の他部をなす第２ケース体とを有し、
前記第１ケース体における前記把持部の先端側を構成する部分と、前記第２ケース体における前記把持部の先端側を構成する部分とによって前記孔部が構成され、
前記孔部の周囲には、前記第１ケース体の一端側から延出するように形成された第１ピンと、前記第２ケース体の一端側から延出するように形成された第２ピンとが設けられ、
前記端部ピースにおける前記貫通孔の周囲には、前記第１ピンが挿入される第１挿入孔と前記第２ピンが挿入される第２挿入孔とが形成されており、
前記第１ピンが前記第１挿入孔に挿入され、前記第２ピンが前記第２挿入孔に挿入されることで、前記把持部の先端側において前記第１ケース体と前記第２ケース体とが結合状態で保持されることを特徴とする請求項１に記載の光学的情報読取装置。
【請求項３】
所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記ケースは、前記把持部の一部をなす第１ケース体と、前記第１ケース体に組み付けられると共に前記把持部の他部をなす第２ケース体とを有し、
前記第１ケース体における前記把持部の先端側を構成する部分と、前記第２ケース体における前記把持部の先端側を構成する部分とによって前記孔部が構成され、
前記孔部の周囲には、前記第１ケース体の一端側から延出するように形成された第１ピンと、前記第２ケース体の一端側から延出するように形成された第２ピンとが設けられ、
前記端部ピースにおける前記貫通孔の周囲には、前記第１ピンが挿入される第１挿入孔と前記第２ピンが挿入される第２挿入孔とが形成されており、
前記第１ピンが前記第１挿入孔に挿入され、前記第２ピンが前記第２挿入孔に挿入されることで、前記把持部の先端側において前記第１ケース体と前記第２ケース体とが結合状態で保持されることを特徴とする光学的情報読取装置。
【請求項４】
前記端部ピースは、前記ケースよりも柔軟な材料によって構成されていることを特徴とする請求項１から請求項３のいずれか一項に記載の光学的情報読取装置。
【請求項５】
前記固定部材は、前記把持部の先端側の外壁部と前記端部ピースとを前記貫通孔の孔方向に挟み込むように前記把持部に固定されることを特徴とする請求項１から請求項３のいずれか一項に記載の光学的情報読取装置。
【請求項６】
所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記固定部材は、前記把持部の先端側の外壁部と前記端部ピースとを前記貫通孔の孔方向に挟み込むように前記把持部に固定されることを特徴とする光学的情報読取装置。
【請求項７】
前記ケーブルの端部側には、当該ケーブルの軸半径方向に張り出すフランジ部と、前記フランジ部の外周部から外側にそれぞれ張り出す第１突起及び第２突起が形成され、前記孔部を介して、前記フランジ部、前記第１突起、及び前記第２突起が前記把持部内に出し入れ可能とされており、
前記孔部には、前記フランジ部が当該孔部内に出し入れされる際に前記第１突起が通過する第１切欠部と前記第２突起が通過する第２切欠部とが形成されており、
前記第１突起の方が前記第２突起よりも周方向の幅が大きくなっており、前記第２切欠部の周方向の幅が前記第１突起の周方向の幅よりも小さくなっていることを特徴とする請求項１から請求項６のいずれか一項に記載の光学的情報読取装置。
【請求項８】
所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記ケーブルの端部側には、当該ケーブルの軸半径方向に張り出すフランジ部と、前記フランジ部の外周部から外側にそれぞれ張り出す第１突起及び第２突起が形成され、前記孔部を介して、前記フランジ部、前記第１突起、及び前記第２突起が前記把持部内に出し入れ可能とされており、
前記孔部には、前記フランジ部が当該孔部内に出し入れされる際に前記第１突起が通過する第１切欠部と前記第２突起が通過する第２切欠部とが形成されており、
前記第１突起の方が前記第２突起よりも周方向の幅が大きくなっており、前記第２切欠部の周方向の幅が前記第１突起の周方向の幅よりも小さくなっていることを特徴とする光学的情報読取装置。
【請求項９】
前記ケーブルの端部側には、当該ケーブルの軸半径方向に張り出すフランジ部と、前記フランジ部の外周部から外側にそれぞれ張り出す第１突起及び第２突起が形成され、前記貫通孔を介して、前記フランジ部、前記第１突起、及び前記第２突起が前記把持部内に出し入れ可能とされており、
前記貫通孔には、前記フランジ部が当該貫通孔内に出し入れされる際に前記第１突起が通過する一の切欠部と前記第２突起が通過する他の切欠部とが形成されており、
前記第１突起の方が前記第２突起よりも周方向の幅が大きくなっており、前記他の切欠部の周方向の幅が前記第１突起の周方向の幅よりも小さくなっていることを特徴とする請求項１から請求項８のいずれか一項に記載の光学的情報読取装置。
【請求項１０】
所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記ケーブルの端部側には、当該ケーブルの軸半径方向に張り出すフランジ部と、前記フランジ部の外周部から外側にそれぞれ張り出す第１突起及び第２突起が形成され、前記貫通孔を介して、前記フランジ部、前記第１突起、及び前記第２突起が前記把持部内に出し入れ可能とされており、
前記貫通孔には、前記フランジ部が当該貫通孔内に出し入れされる際に前記第１突起が通過する一の切欠部と前記第２突起が通過する他の切欠部とが形成されており、
前記第１突起の方が前記第２突起よりも周方向の幅が大きくなっており、前記他の切欠部の周方向の幅が前記第１突起の周方向の幅よりも小さくなっていることを特徴とする光学的情報読取装置。
【発明の詳細な説明】
【技術分野】
【０００１】
本発明は、光学的情報読取装置に関するものである。
【背景技術】
【０００２】
バーコード等の情報コードを読み取る光学的情報読取装置は、ケース内にケーブルが挿通された構成のものが広く提供されている。例えば、特許文献１にはいわゆるペンタイプ型のバーコードスキャナに関する技術が開示されており、この技術では、ケーブル（３）を挿通したケーブル押え部材（２）をスキャナケース（１）の端部に挿入し、クリック係合爪（２ａ）を係合部（１ａ）にクリック式に係合させ、同時に周り止め凸部（２ｂ）がスキャナケース（１）の凹部（１ｂ）に係合するようになっている。これにより、ケーブル押え部材（２）の抜け防止及び回り止めが行われるようになっている。
【先行技術文献】
【特許文献】
【０００３】
【特許文献１】実開平５−２０１５６号公報
【発明の概要】
【発明が解決しようとする課題】
【０００４】
ところで、上述したようにケースからケーブルを延出させる構造を用いる場合、メンテナンス時や組み立て時などにユーザがケーブル端部（即ち、ケーブルをケース内のコネクタ等に接続する部分）に容易にアクセスできるようにするため、ケーブル端部付近においてケースが開閉可能となっていることが望ましい。しかしながら、特許文献１の構成では、ケーブル（３）をケース（１）に固定する部分がケーブルブッシュ（１３）で覆われ、ケーブル（３）の固定位置がケース内の奥深くになっており、ケーブルブッシュ（１３）を開閉させるための構造も何ら開示されていないため、ケーブル端部付近に容易にアクセスしうるものであるとは言えない。
【０００５】
一方、ケーブルの端部付近においてケースを開閉可能とする構造としては、ケースの端部を開口状に構すると共に、この開口部に対して蓋状のボトムピースをねじ等によって開閉可能に取り付け、このボトムピースにケーブルを挿し通すように固定するような構造が考えられる。しかしながら、この構造の場合、ボトムピースを組み付ける際にはねじ締め作業が必要となり、ボトムピースを取り外す際にはねじの取り外し作業が必要となるため、ボトムピースの組み付け作業や取り外し作業に時間がかかってしまうという問題がある。また、ケースやボトムピースとは別部材としてネジやナットなどが必要となるため、部品点数の増大を招くという問題もある。
【０００６】
このような問題に対し、ネジやナットなどを省略してネジレス化を図ることも考えられるが、ネジレス化を図る場合、ケーブルをケースに強固に固定し、且つケースの端部側（ケーブルが延出する側）を強化しうる構成を如何に実現するかが問題となる。例えば、ユーザがケースを把持して情報コードの読み取り動作を行うときには、ケースを様々な方向に動かすことが想定され、その際にはケース側でケーブルを引っ張るような荷重が加わるため、このような引っ張り荷重が生じるときでもケーブル端部の電気的接続部分（コネクタ等）に力が加わりにくくなるようにケーブルがケースに強固に固定されていることが望ましい。また、使用時にはケースを誤って落下させてしまうことも想定され、その際、ケーブルが延出する側から落下してしまうこともありうるため、ケースとケーブルとを組み付ける部分及びその付近において、このような衝撃に対する耐久性が求められる。
【０００７】
本発明は、上述した課題を解決するためになされたものであり、ケースからケーブルを延出させ、ケーブルの端部をケースに組み付ける構造の光学的情報読取装置において、ケーブルの端部付近でケースを容易に開閉しうる構成を、部品点数を抑えて実現でき、且つケースとケーブルとを組み付ける部分及びその付近をより強化しうる構成を提供することを目的とする。
【課題を解決するための手段】
【０００８】
第１の発明に係る光学的情報読取装置は、所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記係合部は、前記把持部の先端側から延出する係合爪からなり、
前記被係合部は、前記係合爪が挿入される係合孔からなり、
前記係合爪が前記係合孔に挿入されたときに、前記係合爪に形成された突起部が前記係合孔の周縁部に係止するように構成され、その係止状態から前記係合爪が前記貫通孔側に傾倒することで係止状態が解除されるようになっており、
前記固定部材は、前記把持部に組み付けられたときに前記係合爪が前記貫通孔側へ傾倒しないように規制することを特徴とする。
第２の発明に係る光学的情報読取装置は、
所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記ケースは、前記把持部の一部をなす第１ケース体と、前記第１ケース体に組み付けられると共に前記把持部の他部をなす第２ケース体とを有し、
前記第１ケース体における前記把持部の先端側を構成する部分と、前記第２ケース体における前記把持部の先端側を構成する部分とによって前記孔部が構成され、
前記孔部の周囲には、前記第１ケース体の一端側から延出するように形成された第１ピンと、前記第２ケース体の一端側から延出するように形成された第２ピンとが設けられ、
前記端部ピースにおける前記貫通孔の周囲には、前記第１ピンが挿入される第１挿入孔と前記第２ピンが挿入される第２挿入孔とが形成されており、
前記第１ピンが前記第１挿入孔に挿入され、前記第２ピンが前記第２挿入孔に挿入されることで、前記把持部の先端側において前記第１ケース体と前記第２ケース体とが結合状態で保持されることを特徴とする。
第３の発明に係る光学的情報読取装置は、
所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記固定部材は、前記把持部の先端側の外壁部と前記端部ピースとを前記貫通孔の孔方向に挟み込むように前記把持部に固定されることを特徴とする。
第４の発明に係る光学的情報読取装置は、
所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記ケーブルの端部側には、当該ケーブルの軸半径方向に張り出すフランジ部と、前記フランジ部の外周部から外側にそれぞれ張り出す第１突起及び第２突起が形成され、前記孔部を介して、前記フランジ部、前記第１突起、及び前記第２突起が前記把持部内に出し入れ可能とされており、
前記孔部には、前記フランジ部が当該孔部内に出し入れされる際に前記第１突起が通過する第１切欠部と前記第２突起が通過する第２切欠部とが形成されており、
前記第１突起の方が前記第２突起よりも周方向の幅が大きくなっており、前記第２切欠部の周方向の幅が前記第１突起の周方向の幅よりも小さくなっていることを特徴とする。
第５の発明に係る光学的情報読取装置は、
所定方向に延びる把持部を備えると共に、前記把持部の先端側に孔部が形成され、前記孔部の周囲に係合部が形成されたケースと、
貫通孔を備えると共に、前記貫通孔の開口の周囲に被係合部が形成され、前記被係合部が前記係合部と係合することにより前記把持部の先端側に固定される端部ピースと、
筒状に形成された筒状部と、前記筒状部の一端側に設けられた係合片とを備え、前記筒状部が前記端部ピースの前記貫通孔内に挿し通された状態で前記係合片が前記把持部の先端側に係合するように前記把持部に固定される固定部材と、
前記固定部材の前記筒状部内に挿し通されると共に前記把持部の前記孔部内に挿し通され、端部側が前記把持部内に組み付けられるケーブルと、
を備え、
前記把持部に固定される前記固定部材が、前記把持部に対する前記ケーブルの組み付け、及び前記把持部に対する前記端部ピースの組み付けを保持する構成であり、
前記ケーブルの端部側には、当該ケーブルの軸半径方向に張り出すフランジ部と、前記フランジ部の外周部から外側にそれぞれ張り出す第１突起及び第２突起が形成され、前記貫通孔を介して、前記フランジ部、前記第１突起、及び前記第２突起が前記把持部内に出し入れ可能とされており、
前記貫通孔には、前記フランジ部が当該貫通孔内に出し入れされる際に前記第１突起が通過する一の切欠部と前記第２突起が通過する他の切欠部とが形成されており、
前記第１突起の方が前記第２突起よりも周方向の幅が大きくなっており、前記他の切欠部の周方向の幅が前記第１突起の周方向の幅よりも小さくなっていることを特徴とする。
【発明の効果】
【０００９】
請求項１〜１０の発明では、剛性の高い把持部に対して固定部材を固定しているため、固定部材をケースに安定的に取り付けることができる。そして、このように安定的に固定される固定部材によって把持部に対するケーブルの組み付け、及び把持部に対する端部ピースの組み付けを保持しているため、ケースに対してケーブルを強固に固定することができ、且つ端部ピースを把持部に安定的に保持することができる。また、把持部の先端側に、把持部とは別部材として構成される端部ピースが配置され、ケーブル延出側からケースが落下した際にはこの端部ピースによって落下時の衝撃を受けることができるようになっているため、端部ピースによって把持部側への衝撃の伝播を緩和することができる。
また、被係合部と係合部との係合により端部ピースが把持部の先端側に固定されているため、端部ピースの固定に関してネジレス化が図られ、筒状部の一端側に設けられた係合片を把持部の先端側に係合させることで固定部材が把持部に固定されているため、固定部材の固定に関してもネジレス化が図られている。従って、ケーブルの端部付近でケースを容易に開閉しうる構成を、部品点数を抑えて実現できる。
【００１０】
また、請求項１の発明では、係合部が、把持部の先端側から延出する係合爪によって構成され、被係合部は、係合爪が挿入される係合孔によって構成されている。そして、係合爪が係合孔に挿入されたときに、係合爪に形成された突起部が係合孔の周縁部に係止するように構成され、その係止状態から係合爪が貫通孔側に傾倒することで係止状態が解除されるようになっており、固定部材は、把持部に組み付けられたときに係合爪が貫通孔側へ傾倒しないように規制するようになっている。
この構成では、係合爪が係合孔に挿入され、且つ突起部が係合孔の周縁部に係止するような係合構造であるため、端部ピースをより安定的に把持部に係合させることができる。また、固定部材が固定されているときには、係合爪が貫通孔側へ傾倒しないように規制され、突起部と係合孔の周縁部との係止状態が解除されないように維持されるため、固定部材を取り外さない限り、係合爪と係合孔とがより確実に係合し続け、端部ピースが把持部に安定的に保持されることになる。
【００１１】
請求項２、３の発明では、ケースにおいて、把持部の一部をなす第１ケース体と、第１ケース体に組み付けられると共に把持部の他部をなす第２ケース体とが設けられており、第１ケース体における把持部の先端側を構成する部分と、第２ケース体における把持部の先端側を構成する部分とによって孔部が構成されている。
更に、孔部の周囲には、第１ケース体の一端側から延出するように形成された第１ピンと、第２ケース体の一端側から延出するように形成された第２ピンとが設けられ、端部ピースにおける貫通孔の周囲には、第１ピンが挿入される第１挿入孔と第２ピンが挿入される第２挿入孔とが形成されている。
そして、第１ピンが第１挿入孔に挿入され、第２ピンが第２挿入孔に挿入されることで、把持部の先端側において第１ケース体と第２ケース体とが結合状態で保持されるようになっている。
この構成では、分割されたケース構造を採用しているため、ケース内に電子部品を収容し、組み付ける作業をより行いやすくなる。また、第１ケース体側の第１ピンが第１挿入孔に挿入され、第２ケース体側の第２ピンが第２挿入孔に挿入されることで把持部の先端側において第１ケース体と第２ケース体とが結合状態で保持されるようになっているため、端部ピースを利用して両ケースの端部側（孔部側）を強固に結合することができる。
【００１２】
請求項４の発明では、端部ピースがケースよりも柔軟な材料によって構成されている。
このように、把持部の先端側に配置される端部ピースをケースよりも柔軟な材料によって構成すれば、ケーブル延出側からケースが落下した際に、端部ピースによって落下時の衝撃をより吸収することができ、把持部側への衝撃の伝播をより一層緩和することができる。
【００１３】
請求項５、６の発明において、固定部材は、把持部の先端側の外壁部と端部ピースとを貫通孔の孔方向に挟み込むように把持部に固定されるようになっている。
この構成によれば、端部ピースを把持部に対してより強固に密着させることができ、貫通孔の孔方向（軸方向）における連結の安定化を図ることができる。
【００１４】
請求項７、８の発明において、ケーブルの端部側には、当該ケーブルの軸半径方向に張り出すフランジ部と、フランジ部の外周部から外側にそれぞれ張り出す第１突起及び第２突起が形成され、孔部を介して、フランジ部、第１突起、及び第２突起が把持部内に出し入れ可能とされており、
孔部には、フランジ部が当該孔部内に出し入れされる際に第１突起が通過する第１切欠部と第２突起が通過する第２切欠部とが形成されており、
第１突起の方が第２突起よりも周方向の幅が大きくなっており、第２切欠部の周方向の幅が第１突起の周方向の幅よりも小さくなっている。
このようにすると、第１突起を第１切欠部を通し、第２突起を第２切欠部を通すような向きで孔部に対してケーブルを挿入する必要があり、第１突起を第２切欠部に通そうとする向きではケーブルを挿入できないため、ケーブルが所望の向きで挿入されやすくなり、誤った向きで挿入されようとした場合にはフランジ部の挿入前に把握することができる。
【００１５】
請求項９、１０の発明において、ケーブルの端部側には、当該ケーブルの軸半径方向に張り出すフランジ部と、フランジ部の外周部から外側にそれぞれ張り出す第１突起及び第２突起が形成され、貫通孔を介して、フランジ部、第１突起、及び第２突起が把持部内に出し入れ可能とされており、貫通孔には、フランジ部が当該貫通孔内に出し入れされる際に第１突起が通過する一の切欠部と第２突起が通過する他の切欠部とが形成されている。そして、第１突起の方が第２突起よりも周方向の幅が大きくなっており、他の切欠部の周方向の幅が第１突起の周方向の幅よりも小さくなっている。
このようにすると、第１突起については一の切欠部を通し、第２突起については他の切欠部を通すような向きで貫通孔に対してケーブルを挿入する必要があり、第１突起を他の切欠部に通そうとする向きではケーブルを挿入できないため、ケーブルが所望の向きで挿入されやすくなり、誤った向きで挿入されようとした場合にはフランジ部の挿入前に把握することができる。
【図面の簡単な説明】
【００１６】
【図１】図１は、本発明の第１実施形態に係る光学的情報読取装置の斜視図である。
【図２】図２は、図１の光学的情報読取装置を図１とは異なる方向から見た斜視図である。
【図３】図３は、図１の光学的情報読取装置の電気的構成を概略的に例示するブロック図である。
【図４】図４は、図１の光学的情報読取装置の正面図である。
【図５】図５は、図１の光学的情報読取装置の側面図である。
【図６】図６は、図１の光学的情報読取装置の裏面図である。
【図７】図７は、図４のＡ−Ａ断面で切断した構成を概略的に示す断面図である。
【図８】図８は、図１の光学的情報読取装置を分解した分解斜視図である。
【図９】図９は、図１の光学的情報読取装置を分解した分解側面図である。
【図１０】図１０は、図１の光学的情報読取装置を分解した各構成の断面図である。
【図１１】図１１は、図１の光学的情報読取装置に用いるケースおよび端部ピースの各斜視図である。
【図１２】図１２は、図１の光学的情報読取装置に用いるケースの正面図である。
【図１３】図１３は、図１の光学的情報読取装置に用いるケースの裏面図である。
【図１４】図１４（Ａ）は、図１の光学的情報読取装置に用いる端部ピースの平面図であり、図１４（Ｂ）は、その正面図であり、図１４（Ｃ）は、その側面図であり、図１４（Ｄ）は、その裏面図である。
【発明を実施するための形態】
【００１７】
[第１実施形態]
以下、本発明を具現化した第１実施形態について、図面を参照して説明する。
（全体構成）
まず、図１〜図３等を参照して本実施形態に係る情報コード読取装置の全体構成について説明する。図１は、本発明の第１実施形態に係る光学的情報読取装置の斜視図である。図２は、図１の光学的情報読取装置を図１とは異なる方向から見た斜視図である。図３は、図１の光学的情報読取装置の電気的構成を概略的に例示するブロック図である。
【００１８】
本実施形態に係る情報コード読取装置１は、一次元コード、二次元コード等の情報コードを読み取るコードリーダとして構成されるものであり、図１、図２のような外観をなし、ケース２の内部に各種電子部品が収容されている。図１、図２に示す情報コード読取装置１は、いわゆるガンタイプとして構成されており、端部に読取口３ｃが形成されてなる本体部３ａの下側の壁部から把持部３ｂが長手状に延びており、把持部３ｂの上端部付近に押圧操作可能な操作スイッチ４２（トリガスイッチ）が配置され、把持部３ｂの下端部付近にはケーブル９０が組み付けられた構造となっている。
【００１９】
情報コード読取装置１の電気的構成は図３のようになっており、主に、照明光源２１、受光センサ２３、フィルタ２５、結像レンズ２７等の光学系と、メモリ３５、制御回路４０、操作スイッチ４２、液晶表示装置４６等のマイクロコンピュータ（以下「マイコン」という）系と、電源スイッチ４１、図示しない電源回路等の電源系と、から構成されている。なお、これらは、図７に示す基板２０に実装あるいはケース２の内部に内装されている。
【００２０】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、例えば、ケース２に形成された読取口３を介して読取対象物Ｒに向けて照明光Ｌｆを照射可能に構成されている。この読取対象物Ｒとしては、例えば、樹脂材料、金属材料等の様々な対象が考えられ、このような読取対象物Ｒに情報コード（図３ではＱＲコードＱ）が印刷、ダイレクトマーキングなどによって形成されている。なお、以下の説明では、情報コードとしてＱＲコードＱを例示して説明するが、データマトリックコードやマキシコードなどの他の二次元コードに置き換えてもよい。
【００２１】
受光センサ２３は、読取対象物ＲやＱＲコードＱに照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光し得るように配置されている。
【００２２】
フィルタ２５は、反射光Ｌｒの波長相当以下の光の通過を許容し、当該波長相当を超える光の通過を遮断し得る光学的なローパスフィルタであり、ケース２に形成された読取口３ｃと結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本実施形態では、ケース２に形成された読取口３ｃに入射する反射光Ｌｒを集光し、受光センサ２３の受光面２３ａにＱＲコードＱのコード画像を結像するように構成されている。
【００２３】
マイコン系は、増幅回路３１、Ａ／Ｄ変換回路３３、メモリ３５、アドレス発生回路３６、同期信号発生回路３８、制御回路４０、操作スイッチ４２、ＬＥＤ４３、ブザー４４、液晶表示装置４６、通信インタフェース４８等から構成されている。このマイコン系は、マイコン（情報処理装置）として機能し得る制御回路４０及びメモリ３５を中心として構成され、前述した光学系によって撮像されたＱＲコードＱの画像信号をハードウェア的およびソフトウェア的に信号処理し得るものである。
【００２４】
光学系の受光センサ２３から出力される画像信号（アナログ信号）は、増幅回路３１に入力されて所定ゲインで増幅され、その後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２５】
メモリ３５は、半導体メモリ装置で、例えばＲＡＭ（ＤＲＡＭ、ＳＲＡＭ等）やＲＯＭ、不揮発性メモリ等がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【００２６】
制御回路４０は、情報コード読取装置１全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、電源スイッチ４１、操作スイッチ４２、ＬＥＤ４３、ブザー４４、液晶表示装置４６、通信インタフェース４８等が接続されている。また、通信インタフェース４８には、情報コード読取装置１の上位システムに相当するホストコンピュータＨＳＴなどを接続できるようになっている。
【００２７】
（特徴的構成）
次に、本実施形態の主な特徴部分について説明する。
図４は、図１の光学的情報読取装置の正面図である。図５は、図１の光学的情報読取装置の側面図である。図６は、図１の光学的情報読取装置の裏面図である。図７は、図４のＡ−Ａ断面で切断した構成を概略的に示す断面図である。なお、本明細書では、把持部３ｂの長手方向を上下方向としており、把持部３ｂの先端側を下方、把持部３ｂの基端側（本体部３ａ側）を上方としている。また、上下方向と直交する方向を前後方向とし、把持部３ｂにおいて操作スイッチ４２が設けられる側を前方側、その裏側を後方側としている。また、これら上下方向及び前後方向と直交する方向を左右方向（幅方向）としている。
【００２８】
光学的情報読取装置１は、図４〜図７に示すように、ケース２に形成された把持部３ｂの先端部からケーブル９０がケース外に延出した構成をなしている。このケーブル９０は、外部から電力を供給するための電源ケーブルとして構成されるものであってもよく、外部装置との通信を行うための通信ケーブルとして構成されるものであってもよい。或いは、電力供給と通信の両方を行うためのケーブルであってもよい。
【００２９】
ここで、光学的情報読取装置１の要部をなす各構成について詳述する。
図８は、図１の光学的情報読取装置を分解した分解斜視図である。図９は、図１の光学的情報読取装置を分解した分解側面図である。図１０は、図１の光学的情報読取装置を分解した各構成の断面図である。図１１は、図１の光学的情報読取装置に用いるケースおよび端部ピースの各斜視図である。図１２は、図１の光学的情報読取装置に用いるケースの正面図である。図１３は、図１の光学的情報読取装置に用いるケースの裏面図である。図１４（Ａ）は、図１の光学的情報読取装置に用いる端部ピースの平面図であり、図１４（Ｂ）は、その正面図であり、図１４（Ｃ）は、その側面図であり、図１４（Ｄ）は、その裏面図である。
【００３０】
光学的情報読取装置１は、図８、図９、図１０に示すように、主として、ケース２と、端部ピース５０と、ケーブル９０と、固定部材７０とによって構成され、図４〜図７のようにこれらが一体的に組み付けられた構成をなしている。
【００３１】
ケース２は、光学的情報読取装置１の大部分の外郭をなすものであり、図１１〜図１３に示すように上下方向に延びる長手状に構成されている。このケース２は、例えば硬質の樹脂部材によって構成されており、操作スイッチ４２の上方側に配置される本体部３ａ（ケース本体部）と、この本体部３ａから下方側に延出する長手状の把持部３ｂとを備えている。
【００３２】
把持部３ｂは、基板２０の一部やケーブル９０を接続するコネクタなどを収容するものであり、図１１〜図１３のような構成をなしている。この把持部３ｂは、先端側の外壁部３ｄ（下端部）に孔部４が形成されており、さらにこの外壁部３ｄにおいて、孔部４の周囲には、前後に対をなして設けられる係合爪１０ａ，１０ｂが形成されている。これら係合爪１０ａ，１０ｂは、把持部３ｂの先端側の外壁部３ｄから下方側に延出するように板状に構成されており、係合爪１０ａの先端部には前方側に凸となる突起部１０ｃが形成されている。また、係合爪１０ｂの先端部には後方側に凸となる突起部１０ｄが形成されている。各係合爪１０ａ，１０ｂは、弾性変形可能に構成されており、先端側が前後に撓み変形しうる構成となっている。各係合爪１０ａ，１０ｂは、各係合孔５６ａ，５６ｂとスナップフィット構造で結合するように構成されている。
【００３３】
また、ケース２は、第１ケース体２ａと第２ケース体２ｂとが互いに組み付けられた構成をなしており、第１ケース体２ａが把持部３ｂの一部（前側部分）をなし、第２ケース体２ｂが把持部３ｂの他部（後側部分）をなしている。そして、第１ケース体２ａにおける把持部３ｂの先端側を構成する部分と、第２ケース体２ｂにおける把持部３ｂの先端側を構成する部分とによって孔部４が構成されている。
【００３４】
また、先端側の外壁部３ｄ（下端部）において孔部４の周囲には、第１ケース体２ａの一端側から延出するように形成された第１ピン１１ａ，１１ｂと、第２ケース体２の一端側から延出するように形成された第２ピン１２ａ，１２ｂとが設けられている（特に、図１１、図１３参照）。第1ピン１１ａ，１１ｂは、係合爪１０ａの左右に対をなして形成され、第２ピン１２ａ，１２ｂは、係合爪１０ｂの左右に対をなして形成されており、これら第１ピン１１ａ，１１ｂ及び第２ピン１２ａ，１２ｂは、いずれも係合爪１０ａ，１０ｂよりも厚く構成され、いずれも係合爪１０ａ，１０ｂよりも剛性が大きくなっており、係合爪１０ａ，１０ｂよりも撓み変形し難い構成となっている。
【００３５】
端部ピース５０は、例えばケース２よりも軟質の材料（ゴム、エラストマーなどの柔軟材料等）によって構成されており、図１４（Ａ）〜（Ｄ）のような構成をなしている。この端部ピース５０は、全体として略板状に構成されると共に厚さ方向に貫通する貫通孔５５が形成されており、上面側の壁部において貫通孔５５の開口の周囲には、上述した係合爪１０ａ，１０ｂがそれぞれ挿入される係合孔５６ａ，５６ｂが形成されている。そして、係合孔５６ａ，５６ｂに対して係合爪１０ａ，１０ｂが挿入されて互いに係合することにより把持部３ｂの先端側に固定されるようになっている。
【００３６】
また、図１４（Ａ）等に示すように、端部ピース５０の上面側の壁部において貫通孔５５の周囲には、第１ピン１１ａ，１１ｂが挿入される第１挿入孔５１ａ，５１ｂと第２ピン１２ａ，１２ｂが挿入される第２挿入孔５２ａ，５２ｂとが形成されている。第１挿入孔５１ａ，５１ｂは、例えば第１ピン１１ａ，１１ｂが嵌入ないし圧入されて嵌り合う程度の大きさとされており、第２挿入孔５２ａ，５２ｂは、例えば第２ピン１２ａ，１２ｂが嵌入ないし圧入されて嵌り合う程度の大きさとされている。
【００３７】
固定部材７０は、例えば端部ピース５０よりも硬質の材料によって構成されており、図８〜図１０のような構成をなしている。この固定部材７０は、筒状に形成された筒状部７５と、筒状部７５の一端側（上端側）に設けられた一対の係合片７６ａ，７６ｂとを備えている。この固定部材７０は、図７のように、筒状部７５が端部ピース５０の貫通孔５５内に挿し通された状態で係合片７６ａ，７６ｂが把持部３ｂの先端側の外壁部３ｄに係合（より具体的には、係合片７６ａ，７６ｂがそれぞれ外壁部３ｄの内面側から当該外壁部３ｄを下方側に押すように係合）するように把持部３ｂに固定されるようになっている。また、固定部材７０は、上方側において外周面が円筒面状に構成された第1円筒部７９が形成されており、この第1円筒部７９の下端部には当該第1円筒部７９の外周面の径よりも外形が大きいフランジ状部分７７が形成され、フランジ状部分７７が第1円筒部７９よりも半径方向外側にフランジ状に張り出している。そして、このフランジ状部分７７が端部ピース５０における貫通孔５５の周縁部を上方に押すように配置されている。
【００３８】
ケーブル９０は、固定部材７０の筒状部７５内に挿し通されると共に把持部３ｂの孔部４内に挿し通され、端部側が把持部３ｂ内に組み付けられるようになっている。このケーブル９０は、図８〜図１０等に示すような構成をなしており、ケース２の内部に組み付けられる端部側において、当該ケーブル９０の軸半径方向に張り出すようにフランジ部９３が形成され、フランジ部９３の外周部から外側にそれぞれ張り出す第１突起９１及び第２突起９２が形成されている。なお、図７、図８等ではケーブル９０の端部９０ａ付近を簡略的に示し、詳細な構成（コネクタ構成等）は省略しているが、ケース内に電気的に接続しうる構成であれば様々な構成を採用することができる。また、フランジ部９３から所定距離隔てた下方側には、フランジ部９３よりも張り出し量が小さい第２フランジ部９５が形成されている。そして、フランジ部９３が固定部材７０の上端部によって上方側に押し付けられるように固定され、第２フランジ部９５は、固定部材７０の筒内に嵌合すると共に、この固定部材７０の筒内に形成された段差部によって上方側に押し付けられるように固定されている。
【００３９】
このように構成される各部品（ケース２、端部ピース５０、ケーブル９０、固定部材７０等）はネジレス構造で組み付けられている。まず、上述したようにケース２の下端部に対して端部ピース５０が組みつけられており、このような組み付け状態の構造体に対し、ケーブル９０が挿し込まれている。具体的には、端部ピース５０の貫通孔５５内及び把持部３ｂの孔部４内に挿し通されるようにケーブル９０が組み付けられており、その上で、ケーブル９０の外側且つ貫通孔５５の内側に配置されるように固定部材７０が把持部３ｂに対して組み付けられている。
【００４０】
そして、このように剛性の高い把持部３ｂに固定される固定部材７０によって、把持部３ｂに対するケーブル９０の組み付け、及び把持部３ｂに対する端部ピース５０の組み付けを保持している。具体的には、固定部材７０の係合片７６ａ、７６ｂが孔部４の周縁部と係合することにより把持部３ｂからの抜け止めが図られ、この固定部材７０によってケーブル９０のフランジ部９３を上方側に押し付けるようにケーブル９０を保持している。
【００４１】
また、図７のように、係合爪１０ａ，１０ｂが係合孔５６ａ，５６ｂに挿入されたときには、係合爪１０ａ，１０ｂに形成された突起部１０ｃ、１０ｄが係合孔５６ａ，５６ｂの周縁部に係止するようになっており、これら係合爪１０ａ，１０ｂは、固定部材７０が組み付けられていないときには、その係止状態から係合爪１０ａ，１０ｂが貫通孔５５側に傾倒することで係止状態が解除されるようになっている。そして、係合爪１０ａ，１０ｂが係合孔５６ａ，５６ｂに挿入され状態で、固定部材７０が把持部３ｂに組み付けられたときには、この固定部材７０の存在により、係合爪１０ａ，１０ｂが貫通孔５５側へ傾倒しないように規制するようになっている。
【００４２】
また、第１ピン１１ａ，１１ｂが第１挿入孔５１ａ，５１ｂに挿入され、第２ピン１２ａ，１２ｂが第２挿入孔５２ａ，５２ｂに挿入されることで、同一部材（端部ピース５０）に対して第１ケース体２ａ及び第２ケース体２ｂの端部側が隣接状態で組み付けられることになり、把持部３ｂの先端側において第１ケース体２ａと第２ケース体２とｂが結合状態で保持されるようになっている。更に、固定部材７０は、上述の係合片７６ａ，７６ｂとフランジ状部分７７とによって、把持部３ｂの先端側の外壁部３ｄと端部ピース５０とを貫通孔５５の孔方向に挟み込むように把持部３ｂに固定されるようになっている。具体的には、係合片７６ａ、７６ｂが外壁部３ｄの上方側を支持し、固定部材７０に形成されたフランジ状部分７７が端部ピース５０の貫通孔５５の周縁部を下方側から支持しており、これにより把持部３ｂの先端部と端部ピース５０とを上下に強固に密着させている。
【００４３】
また、本実施形態の構成では、孔部４を介して、フランジ部９３、第１突起９１、及び第２突起９２が把持部３ｂ内に出し入れ可能とされている。具体的には、図１１、図１３等に示すように、孔部４において、フランジ部９３が当該孔部４内に出し入れされる際に第１突起９１が通過する第１切欠部４ａと第２突起９２が通過する第２切欠部４ｂとが形成されており、更に、図８等に示すように、貫通孔５５には、フランジ部９３が当該貫通孔５５内に出し入れされる際に第１突起９１が通過する切欠部５７ａ（一の切欠部）と第２突起９２が通過する切欠部５７ｂ（他の切欠部）とが形成されている。そして、固定部材７０を把持部３に組み付けるときには、把持部３に対して端部ピース５０が組み付けられた状態（図７から固定部材７０、ケーブル９０を除いた状態）で、第１突起９１を切欠部５７ａ及び第１切欠部４ａを通すように且つ第２突起９２を切欠部５７ｂ及び第２切欠部４ｂを通すように挿入させて把持部３内で保持しする（図７から固定部材７０を除いた状態）そして、各係合片７６ａ、７６ｂのいずれか一方を切欠部５７ａ及び第１切欠部４ａを通し、いずれか他方を切欠部５７ｂ及び第２切欠部４ｂを通すように挿入させ、各係合片７６ａ、７６ｂが把持部３の内部に入り込んだ状態で固定部材７０を所定方向に回すことで図７等のような状態に固定されることになる。
【００４４】
なお、本実施形態では、第１突起９１の方が第２突起９２よりも周方向の幅が大きくなっており、第２切欠部４ｂの周方向の幅が第１突起９１の周方向の幅よりも小さくなっている。そして、第１突起９１の方が第２突起９２よりも周方向の幅が大きくなっており、切欠部５７ｂ（他の切欠部）の周方向の幅が第１突起９１の周方向の幅よりも小さくなっている。
【００４５】
（第１実施形態の主な効果）
本実施形態に係る光学的情報読取装置１では、剛性の高い把持部３ｂに対して固定部材７０を固定しているため、固定部材７０をケース２に安定的に取り付けることができる。そして、このように安定的に固定される固定部材７０によって把持部３ｂに対するケーブル９０の組み付け、及び把持部３ｂに対する端部ピース５０の組み付けを保持しているため、ケース２に対してケーブル９０を強固に固定することができ、且つ端部ピース５０を把持部３ｂに安定的に保持することができる。また、把持部３ｂの先端側に、把持部３ｂとは別部材として構成される端部ピース５０が配置され、ケーブル９０延出側からケース２が落下した際にはこの端部ピース５０によって落下時の衝撃を受けることができるようになっているため、端部ピース５０によって把持部３ｂ側への衝撃の伝播を緩和することができる。
【００４６】
また、係合孔５６ａ，５６ｂと係合爪１０ａ，１０ｂとの係合により端部ピース５０が把持部３ｂの先端側に固定されているため、端部ピース５０の固定に関してネジレス化が図られ、筒状部７５の一端側に設けられた係合片７６ａ，７６ｂを把持部３ｂの先端側に係合させることで固定部材７０が把持部３ｂに固定されているため、固定部材７０の固定に関してもネジレス化が図られている。従って、ケーブル９０の端部付近でケース２を容易に開閉しうる構成を、部品点数を抑えて実現できる。
【００４７】
また、本実施形態では、把持部３ｂの先端側から延出する係合爪１０ａ，１０ｂによって係合部が構成され、係合爪１０ａ，１０ｂが挿入される係合孔５６ａ，５６ｂによって被係合部が構成されている。そして、係合爪１０ａ，１０ｂが係合孔５６ａ，５６ｂに挿入されたときに、係合爪１０ａ，１０ｂに形成された突起部１０ｃ，１０ｄがそれぞれ係合孔５６ａ，５６ｂの周縁部に係止するように構成され、その係止状態から係合爪１０ａ，１０ｂが貫通孔５５側に傾倒することで係止状態が解除されるようになっている。そして、固定部材７０は、把持部３ｂに組み付けられたときに係合爪１０ａ，１０ｂが貫通孔５５側へ傾倒しないように規制するようになっている。
【００４８】
この構成では、係合爪１０ａ，１０ｂが係合孔５６ａ，５６ｂに挿入され、且つ突起部１０ｃ，１０ｄが係合孔５６ａ，５６ｂの周縁部に係止するような係合構造であるため、端部ピース５０をより安定的に把持部３ｂに係合させることができる。また、固定部材７０が固定されているときには、係合爪１０ａ，１０ｂが貫通孔５５側へ傾倒しないように規制され、突起部１０ｃ，１０ｄと係合孔５６ａ，５６ｂの周縁部との係止状態が解除されないように維持されるため、固定部材７０を取り外さない限り、係合爪１０ａ，１０ｂと係合孔５６ａ，５６ｂとがより確実に係合し続け、端部ピース５０が把持部３ｂに安定的に保持されることになる。
【００４９】
また、本実施形態で用いられるケース２は、把持部３ｂの一部をなす第１ケース体２ａと、把持部３ｂの他部をなす第２ケース体２ｂとが互いに組み付けられた構成となっており、第１ケース体２ａにおける把持部３ｂの先端側を構成する部分と、第２ケース体２ｂにおける把持部３ｂの先端側を構成する部分とによって孔部４が構成されている。
更に、孔部４の周囲には、第１ケース２の一端側から延出するように形成された第１ピン１１ａ，１１ｂと、第２ケース体２の一端側から延出するように形成された第２ピン１２ａ，１２ｂとが設けられ、端部ピース５０における貫通孔５５の周囲には、第１ピン１１ａ，１１ｂが挿入される第１挿入孔５１ａ，５１ｂと第２ピン１２ａ，１２ｂが挿入される第２挿入孔５２ａ，５２ｂとが形成されている。
そして、第１ピン１１ａ，１１ｂが第１挿入孔５１ａ，５１ｂに挿入され、第２ピン１２ａ，１２ｂが第２挿入孔５２ａ，５２ｂに挿入されることで、把持部３ｂの先端側において第１ケース体２ａと第２ケース体２とが結合状態で保持されるようになっている。
【００５０】
この構成では、分割されたケース構造を採用しているため、ケース２内に電子部品を収容し、組み付ける作業をより行いやすくなる。また、第１ケース体側の第１ピン１１ａ，１１ｂが第１挿入孔５１ａ，５１ｂに挿入され、第２ケース体２側の第２ピン１２ａ，１２ｂが第２挿入孔５２ａ，５２ｂに挿入されることで把持部３ｂの先端側において第１ケース体２ａと第２ケース体２とが結合状態で保持されるようになっているため、端部ピース５０を利用して両ケース２の端部側（孔部４側）を強固に結合することができる。
【００５１】
また、本実施形態では、端部ピース５０がケース２よりも柔軟な材料によって構成されている。
このように、把持部３ｂの先端側に配置される端部ピース５０をケース２よりも柔軟な材料によって構成すれば、ケーブル９０延出側からケース２が落下した際に、端部ピース５０によって落下時の衝撃をより吸収することができ、把持部３ｂ側への衝撃の伝播をより一層緩和することができる。
【００５２】
また、固定部材７０は、把持部３ｂの先端側の外壁部と端部ピース５０とを貫通孔５５の孔方向に挟み込むように把持部３ｂに固定されるようになっている。
この構成によれば、端部ピース５０を把持部３ｂに対してより強固に密着させることができ、貫通孔５５の孔方向（軸方向）における連結の安定化を図ることができる。
【００５３】
また、ケーブル９０の端部側には、当該ケーブル９０の軸半径方向に張り出すフランジ部９３と、フランジ部９３の外周部から外側にそれぞれ張り出す第１突起９１及び第２突起９２が形成され、孔部４を介して、フランジ部９３、第１突起９１、及び第２突起９２が把持部３ｂ内に出し入れ可能とされており、
孔部４には、フランジ部９３が当該孔部４内に出し入れされる際に第１突起９１が通過する第１切欠部４ａと第２突起９２が通過する第２切欠部４ｂとが形成されており、
第１突起９１の方が第２突起９２よりも周方向の幅が大きくなっており、第２切欠部４ｂの周方向の幅が第１突起９１の周方向の幅よりも小さくなっている。
【００５４】
このようにすると、第１突起９１を第１切欠部４ａを通し、第２突起９２を第２切欠部４ｂを通すような向きで孔部４に対してケーブル９０を挿入する必要があり、第１突起９１を第２切欠部４ｂに通そうとする向きではケーブル９０を挿入できないため、ケーブル９０が所望の向きで挿入されやすくなり、誤った向きで挿入されようとした場合にはフランジ部９３の挿入前に把握することができる。
【００５５】
また、貫通孔５５には、フランジ部９３が当該貫通孔５５内に出し入れされる際に第１突起９１が通過する切欠部５７ａ（一の切欠部）と第２突起９２が通過する切欠部５７ｂ（他の切欠部）とが形成されている。そして、第１突起９１の方が第２突起９２よりも周方向の幅が大きくなっており、切欠部５７ｂ（他の切欠部）の周方向の幅が第１突起９１の周方向の幅よりも小さくなっている。
このようにすると、第１突起９１については切欠部５７ａ（一の切欠部）を通し、第２突起９２については切欠部５７ｂ（他の切欠部）を通すような向きで貫通孔５５に対してケーブル９０を挿入する必要があり、第１突起９１を切欠部５７ｂ（他の切欠部）に通そうとする向きではケーブル９０を挿入できないため、ケーブル９０が所望の向きで挿入されやすくなり、誤った向きで挿入されようとした場合にはフランジ部９３の挿入前に把握することができる。
【００５６】
［他の実施形態]
本発明は上記記述及び図面によって説明した実施形態に限定されるものではなく、例えば次のような実施形態も本発明の技術的範囲に含まれる。
【００５７】
上記実施形態では、第１ケース体２ａの一部と第２ケース体２ｂの一部とによって把持部３ｂが構成されていたが、単一のケース体によって把持部の外郭が構成されていてもよい。
【００５８】
上記実施形態では、係合爪１０ａ，１０ｂによって係合部が構成され、係合孔５６ａ，５６ｂによって被係合部が形成されていたが、互いに係合し得る構造であれば係合部及び被係合部は他の構成であってもよい。例えば、係合部を係合孔によって構成し、被係合部を係合爪によって構成してもよい。
【符号の説明】
【００５９】
１…光学的情報読取装置
２…ケース
２ａ…第１ケース体
２ｂ…第２ケース体
３…把持部
４…孔部
４ａ…第１切欠部
４ｂ…第２切欠部
１０ａ，１０ｂ…係合爪（係合部）
１０ｃ、１０ｄ…突起部
１１ａ，１１ｂ…第１ピン
１２ａ，１２ｂ…第２ピン
５０…端部ピース
５１ａ，５１ｂ…第１挿入孔
５２ａ，５２ｂ…第２挿入孔
５５…貫通孔
５６ａ，５６ｂ…係合孔（被係合部）
５７ａ…切欠部（一の切欠部）
５７ｂ…切欠部（他の切欠部）
７０…固定部材
７５…筒状部
７６ａ，７６ｂ…係合片
９０…ケーブル
９１…第１突起
９２…第２突起
９３…フランジ部
【図１】
0005708323.tif 000002
【図２】
0005708323.tif 000003
【図３】
0005708323.tif 000004
【図４】
0005708323.tif 000005
【図５】
0005708323.tif 000006
【図６】
0005708323.tif 000007
【図７】
0005708323.tif 000008
【図８】
0005708323.tif 000009
【図９】
0005708323.tif 000010
【図１０】
0005708323.tif 000011
【図１１】
0005708323.tif 000012
【図１２】
0005708323.tif 000013
【図１３】
0005708323.tif 000014
【図１４】
0005708323.tif 000015